(57)【要約】【課題】  本発明の実施の形態が解決しようとする課題は、消去可能なトナーと消去不可能なトナーの両方を用いて印刷を行う場合において、用途にあった印刷を行う画像形成装置を提供することを目的とする。【解決手段】  印刷部と、印刷する画像情報を記憶する第１の記憶部と、印刷する画像情報に対して、消去可能なトナーにてマスキングする対象を記憶する第２の記憶部と、前記第１の記憶部の画像情報と前記第２の記憶部のマスキングする対象とに基づいて用紙に画像を形成するよう印刷部を制御する制御部と、を有する画像形成装置。【選択図】図１
2015197672.tif 000002
【特許請求の範囲】
【請求項１】
印刷部と、
印刷する画像情報を記憶する第１の記憶部と、
印刷する画像情報に対して、消去可能なトナーにてマスキングする対象を記憶する第２の記憶部と、
前記第１の記憶部の画像情報と前記第２の記憶部のマスキングする対象とに基づいて用紙に画像を形成するよう印刷部を制御する制御部と、
を有する画像形成装置。
【請求項２】
前記印刷部は、消去可能なトナーと消去不可能なトナーとで画像を形成する画像形成部と、転写部とを少なくとも有し、
前記画像形成部にて形成された画像を前記転写部にて用紙に転写する場合、用紙に転写された消去可能なトナーは、消去不可能なトナーよりも用紙に対して外側に層を形成するよう前記印刷部が構成されている
ことを特徴する請求項１に記載の画像形成装置。
【請求項３】
前記印刷部は定着部と転写部と有し、
前記定着部の下流側から前記転写部の上流側へと用紙を搬送する搬送部と、
前記制御部は、前記記憶部の画像情報を印刷する場合、消去不可能なトナーを前記印刷部を制御して用紙に印刷を行い、前記搬送部を制御して用紙を前記転写部上流側へと搬送し、消去可能なトナーを前記印刷部を制御して用紙に印刷する制御を行う
ことを特徴とする請求項１に記載の画像形成装置。
【請求項４】
マスキングする対象を入力する入力部と、
前記制御部は、前記入力部により入力された対象を前記第２の記憶部に記憶するよう制御する
ことを特徴とする請求項１乃至請求項３のいずれか１項に記載の画像形成装置。
【請求項５】
印刷に関する画像情報を記憶する第１の記憶部と、マスキングする対象を記憶可能な第２の記憶部と、操作部と、外部機器と通信可能な通信部と、を有し、画像形成装置に印刷に関する情報を送る処理をコンピュータにて実行させるプログラムであって、
前記操作部によって入力されたマスキングを行う対象を前記第２の記憶部に記憶する記憶機能と、
前記第１の記憶部の画像情報と前記第２の記憶部に記憶するマスキングする対象とに基づいて、印刷命令を作成する作成機能と、
前記作成機能で作成された印刷命令を前記通信部を用いて画像形成装置へと送信する送信機能と、
をコンピュータに実行させるプログラム。
【発明の詳細な説明】
【技術分野】
【０００１】
本発明の実施形態は、画像形成装置とコンピュータを動作させるプログラムに関する。
【背景技術】
【０００２】
熱により用紙に消去処理を施し、用紙上に印字した画像を消去する消去装置が知られている。この消去装置には、消去前に画像を記憶するために画像読取を行う読取部と、用紙に熱を加えて画像を消去する消去部と、画像消去後に消去が正常に施されたか否かを判別するために前述の読取部で再度画像読取を行うものが知られている。また、画像形成装置で消去可能なトナーを用いて画像を形成する画像形成装置が知られている。これによって用紙に消去可能なトナーで形成された画像を消去装置で消去することが可能である。しかしながら、操作者が用紙に記載する内容は様々であり、消去可能なトナーと消去不可能なトナーの両方を用いて様々な画像を用途に合った印刷で行いたいという要望がある。
【先行技術文献】
【特許文献】
【０００３】
【特許文献１】特開２０１０−１１３３３７号公報
【発明の概要】
【発明が解決しようとする課題】
【０００４】
本発明の実施の形態が解決しようとする課題は、消去可能なトナーと消去不可能なトナーの両方を用いて印刷を行う場合において、用途にあった印刷を行う画像形成装置を提供することを目的とする。
【課題を解決するための手段】
【０００５】
そこで上記課題を達成するため、本発明の実施形態では次のような手段を講じている。印刷部と、印刷する画像情報を記憶する第１の記憶部と、印刷する画像情報に対して、消去可能なトナーにてマスキングする対象を記憶する第２の記憶部と、前記第１の記憶部の画像情報と前記第２の記憶部のマスキングする対象とに基づいて用紙に画像を形成するよう印刷部を制御する制御部と、を有する画像形成装置である。
【図面の簡単な説明】
【０００６】
【図１】本実施の形態におけるＭＦＰの説明図。
【図２】本実施の形態におけるＭＦＰのブロック図。
【図３】第１の実施の形態におけるビットマップイメージの説明図
【図４】第１の実施の形態におけるビットマップイメージの説明図
【図５】本実施の形態における消去装置の説明図。
【図６】本実施の形態における消去装置のブロック図。
【図７】本実施の形態における用紙の説明図
【図８】本実施の形態における消去する領域の入力の説明図
【図９】第１の実施の形態における印刷ジョブのフローチャート。
【図１０】本実施の形態における領域を入力する画面の説明図
【図１１】本実施の形態における消去ジョブのフローチャート。
【図１２】第２の実施の形態におけるＭＦＰとＰＣの接続図。
【図１３】第２の実施の形態におけるＰＣのブロック図。
【図１４】第２の実施の形態における印刷要求ジョブのフローチャート。
【発明を実施するための形態】
【０００７】
以下に本発明の実施の形態を図面を用いて説明する。なお、本実施の形態では画像形成装置の一例としてＭＦＰ（Ｍｕｌｔｉ−Ｆｕｎｃｔｉｏｎ Ｐｅｒｉｐｈｅｒａｌｓ）１００を例に挙げて説明をする。
【０００８】
（第１の実施の形態）
第１の実施の形態を図１乃至図１４を参照して説明する。図１は、実施形態に係るＭＦＰ１００の構成例を概略的に示す断面図である。本実施の形態に係るＭＦＰ１００は画像形成装置として機能する。図１に示すようにＭＦＰ１００は、スキャナ１、プリンタ２、操作パネル４およびシステム制御部５を有する。
【０００９】
スキャナ１は、用紙の画像を読み取って画像データに変換する装置である。スキャナ１は、たとえば、用紙の読取面における画像を画像データに変換するＣＣＤラインセンサなどにより構成する。スキャナ１は、原稿台ガラスに載置された用紙をスキャンするものであっても良いし、自動原稿送り装置（ＡＤＦ:Ａｕｔｏ Ｄｏｃｕｍｅｎｔ Ｆｅｅｄｅｒ）が搬送する用紙の画像を読み取るものであっても良い。スキャナ１は、たとえば、ＭＦＰ１００の本体上側に設置する。スキャナ１は、システム制御部５により制御される。
【００１０】
プリンタ２（印刷部）は、被画像形成媒体としての用紙に画像を形成する。たとえば、プリンタ２は、電子写真方式の画像形成装置である。プリンタ２は、複数種類（例えば、イエロー（Ｙ）、シアン（Ｃ）、マゼンタ（Ｍ）、ブラック（Ｋ）、消去（Ｄ）の５種類、）のトナーを用いてカラー画像を形成する。消去トナー（Ｄ）は所定温度以上の熱によって消去可能なトナーである。
【００１１】
図１に示す構成例において、プリンタ２は、給紙部として給紙カセット２０（２０Ａ、２０Ｂ、２０Ｃ）を有する。給紙カセット２０は、画像を印刷する用紙を供給する給紙部である。また、プリンタ２は、給紙部として、手差しトレイなどを有してもよい。たとえば、各給紙カセット２０Ａ、２０Ｂ、２０Ｃは、ＭＦＰ１００本体の下部に着脱可能な状態で設けられる。これらの給紙カセット２０Ａ、２０Ｂ、２０Ｃは、それぞれに設定した種類（例えば、サイズ、紙質）の用紙を収納する。
【００１２】
各給紙カセットが収納する用紙に関する情報などの設定情報は、不揮発性メモリに記憶される。プリンタ２は、設定情報に従って印刷処理に使用する用紙を収納する給紙カセットを選択する。プリンタ２は、選択した給紙カセットか
ら給紙した用紙に画像をプリントする。なお、プリンタ２が手差しトレイを有する場合、手差しトレイに対しても各給紙カセットと同様に設定情報を不揮発性メモリに記憶すればよい。
【００１３】
搬送部２２は、プリンタ２内で用紙を搬送する搬送路と各種搬送ローラとを有する。搬送部２２は、ピックアップローラ２１Ａ、２１Ｂ、２１Ｃにより供給された用紙をレジストローラ２４へ搬送する。レジストローラ２４は、中間転写ベルト２７から用紙に画像を転写するタイミングで、当該用紙を転写位置へ搬送する。
【００１４】
画像形成部２５（２５Ｙ、２５Ｍ、２５Ｃ、２５Ｋ、２５Ｄ）、露光部２６、中間転写ベルト２７、及び、転写部２８は、画像を形成する画像形成手段として機能する。画像形成部２５（２５Ｙ、２５Ｍ、２５Ｃ、２５Ｋ、２５Ｄ）は、用紙に転写する画像を形成する。図１に示す構成例において、画像形成部２５は中間転写ベルト２７の下側に配置される。図１に示す構成例において、画像形成部２５は搬送部２２の搬送路の左側に配置される。画像形成部２５Ｙは、イエローのトナーで画像を形成する。画像形成部２５Ｍは、マゼンタのトナーで画像を形成する。画像形成部２５Ｃは、シアンのトナーで画像を形成する。画像形成部２５Ｋは、ブラックのトナーで画像を形成する。画像形成部２５Ｄは、消去可能なトナーで画像を形成する。そして、画像形成部２５（２５Ｙ、２５Ｍ、２５Ｃ、２５Ｋ、２５Ｄ）は、各色の画像を中間転写ベルト２７上で重ね合わせて転写する。また、画像形成部２５Ｙと画像形成部２５Ｍと画像形成部２５Ｃと画像形成部２５Ｋに比べて、画像形成部２５Ｄは最も搬送路に近い位置に配置される。これは用紙に二次転写を行う時、用紙に対して消去可能なトナーが消去不可能なトナーよりも外側の層に転写されるようにするためである。消去不可能なトナーを消去可能なトナーで覆うように印刷処理を行い、マスキングを行う。なお、用紙に対して消去可能なトナーが消去不可能なトナーよりも外側の層に転写されるよう、他の画像形成部２５（２５Ｙ、２５Ｍ、２５Ｃ、２５Ｋ）と搬送部２２と用紙の搬送方向と中間転写ベルト２７などの配置によって、画像形成部２５Ｄの位置は適宜変更される。例えば、画像形成部２５（２５Ｙ、２５Ｍ、２５Ｃ、２５Ｋ、２５Ｄ）が中間転写ベルト２７の上側にある構成である場合、画像形成部２５Ｄは本体の最も外側に配置される。換言するなら、画像形成部２５（２５Ｙ、２５Ｍ、２５Ｃ、２５Ｋ、２５Ｄ）の中で、画像形成部２５Ｙと画像形成部２５Ｍと画像形成部２５Ｃと画像形成部２５Ｋに比べて、画像形成部２５Ｄは搬送部２２に対して最も外側に配置される。
【００１５】
なお、消去トナーは例えば所定の温度以上に加熱することにより消色化（無色化）可能なトナーである。消去トナーは、例えばバインダー樹脂に、色材を含有させてなる。消去可能な色材は、呈色性化合物、顕色剤、消去剤を含む。呈色性化合物は、例えばロイコ染料が挙げられる。顕色剤は、例えばフェノール類が挙げられる。消去剤は、加熱されると呈色性化合物と相溶し、顕色剤と親和性を有さない物質が挙げられる。消去可能な色材は、呈色性化合物と顕色剤との相互作用により発色し、消去温度以上の加熱により呈色性化合物と顕色剤との相互作用が絶たれるため、消去する。
【００１６】
露光部２６は、レーザ光により各画像形成部２５（２５Ｙ、２５Ｍ、２５Ｃ、２５Ｋ、２５Ｄ）の感光体ドラム（像坦持体）に静電潜像を形成する。露光部２６は、画像データに応じて制御するレーザ光をポリゴンミラーなどの光学系を介して感光体ドラムに照射する。露光部２６からのレーザ光は、各感光体ドラムの表面に静電潜像を形成する。露光部２６は、システム制御部５からの制御信号に応じてレーザ光を制御する。各感光体ドラムに形成する静電潜像は、各色のトナーで現像する画像である。たとえば、露光部２６は、レーザ光のパワーをシステム制御部５からの制御信号に応じて制御する。また、露光部２６は、レーザ光の発光を制御するためのパルス幅の変調量などもシステム制御部５からの制御信号に応じて制御する。
【００１７】
各画像形成部２５（２５Ｙ、２５Ｍ、２５Ｃ、２５Ｋ、２５Ｄ）は、それぞれの感光体ドラムに形成された静電潜像を各色のトナーで現像する。各画像形成部２５（２５Ｙ、２５Ｍ、２５Ｃ、２５Ｋ、２５Ｄ）は、感光体ドラム上に可視像としてのトナー像を形成する。中間転写ベルト２７は、中間転写体である。各画像形成部２５（２５Ｙ、２５Ｍ、２５Ｃ、２５Ｋ、２５Ｄ）は、感光体ドラム上に形成したトナー像を中間転写ベルト２７上に転写（一次転写）する。各画像形成部２５（２５Ｙ、２５Ｍ、２５Ｃ、２５Ｋ、２５Ｄ）は、一次転写位置でトナー像に転写バイアスを与える。各画像形成部２５（２５Ｙ、２５Ｍ、２５Ｃ、２５Ｋ、２５Ｄ）は、転写電流によって転写バイアスを制御する。各感光体ドラム上のトナー像は、それぞれの一次転写位置で転写バイアスにより中間転写ベルト２７に転写される。システム制御部５は、各画像形成部が一次転写処理に用いる転写電流を制御する。
【００１８】
また、各画像形成部２５Ｙ、２５Ｍ、２５Ｃ、２５Ｋ、２５Ｄは、それぞれ電位センサおよび濃度センサなどのセンサを有する。電位センサは、感光体ドラムの表面電位を検知するセンサである。各画像形成部２５Ｙ、２５Ｍ、２５Ｃ、２５Ｋ、２５Ｄにおいて、帯電チャージャは、露光部２６により露光される前に、感光体ドラムの表面を帯電する。システム制御部５は、帯電チャージャによる帯電条件が変更できる。電位センサは、帯電チャージャにより表面が帯電された感光体ドラムにおける表面電位を検知する。濃度センサは、中間転写ベルト２７上に転写したトナー像の濃度を検知する。また、濃度センサは、感光体ドラム上に形成したトナー像を検知するものであっても良い。
【００１９】
転写部２８は、中間転写ベルト２７上のトナー像を二次転写位置において用紙に転写する。二次転写位置は、中間転写ベルト２７上のトナー像を用紙に転写する位置である。二次転写位置は、支持ローラ２８ａおよび二次転写ローラ２８ｂが対向する位置である。転写部２８は、二次転写位置に転写電流によって制御する転写バイアスを与える。転写部２８は、転写バイアスにより中間転写ベルト２７上のトナー像を用紙に転写する。システム制御部５は、二次転写処理に用いる転写電流を制御する。
【００２０】
定着器２９は、トナーを用紙に定着させる機能を有する。たとえば、実施形態において、定着器２９は、用紙に与える熱により用紙にトナー像を定着させるものとする。
【００２１】
定着器２９は、定着処理を行うため、用紙に熱を与える構成を有する。図１に示す構成例では、定着器２９は、加熱部２９ａを内蔵したヒートローラ２９ｂとヒートローラ２９ｂに加熱された定着ベルトに加圧状態で接する加圧ローラ２９ｃとにより構成する。加熱部２９ａは、温度制御可能なヒータであれば良い。たとえば、加熱部２９ａは、ハロゲンランプ等のヒータランプで構成しても良いし、誘導加熱（ＩＨ）方式のヒータであっても良い。また、加熱部２９ａは、複数のヒータで構成しても良い。
【００２２】
たとえば、用紙にトナー像を定着させる定着処理を行う場合、システム制御部５は、定着器２９を定着温度に制御する。定着温度に制御された定着器２９は、転写部２８によりトナー像が転写された用紙を加圧しつつ定着温度で加熱する。これにより、定着器２９は、用紙にトナー像を定着させる。また、定着器２９は、定着処理した用紙を排紙部３０あるいは自動両面装置３１の何れかへ搬送する。
【００２３】
定着器２９の定着温度の制御に関して、消去可能なトナーと消去不可能なトナーとを一緒に定着する場合、定着器２９の温度は、用紙にトナー像が定着可能な温度かつ、熱によって消去可能なトナーが消えない温度に制御される。
【００２４】
定着器２９により定着処理した用紙を排紙する場合、当該用紙は、排紙部３０へ搬出される。また、定着器２９により定着処理した用紙の裏面にも画像を形成する場合、用紙は、一旦排紙部３０側へ搬送された後、スイッチバックしてＡＤＵ３１へ搬送される。ＡＤＵ３１は定着器２９の下流側から転写部２８の上流側へ用紙を搬送するための搬送路と搬送ローラとを有している。そしてこの場合、ＡＤＵ３１は、スイッチバックにより反転させた用紙を再度レジストローラ２４の手前に供給する。
【００２５】
操作パネル４は、ユーザインターフェースである。操作パネル４は、各種のボタンとタッチパネル４ｂを具備する表示部４ａとを有する。システム制御部５は、操作パネル４の表示部４ａに表示する内容を制御する。また、操作パネル４は、表示部４ａのタッチパネル４ｂあるいはボタンが押下されると、キー信号をシステム制御部５へ出力する。この操作パネル４は、モード選択キーを有している。このモード選択キーはマスクモードキーを有する。マスクモードキーが押下されると、マスクモードに移行する。マスクモードが選択された後に、スキャナ１にて読取った画像を表示部４ａにて表示し、マスク処理したい領域をタッチパネル４ｂを使って入力する。そして、この指定した範囲の文字や図形などを消去可能なトナーで印刷する。また、印刷時には印刷枚数や濃度などの印刷に必要な情報の入力を受け付ける。
【００２６】
次に、ＭＦＰ１００の制御系の構成について説明する。図２は本実施の形態のＭＦＰ１００のブロック図である。システムバス５２を介して、ＣＰＵ（Ｃｅｎｔｒａｌ  Ｐｒｏｃｅｓｓｉｎｇ  Ｕｎｉｔ）５１、ＲＯＭ（Ｒｅａｄ  Ｏｎｌｙ  Ｍｅｍｏｒｙ）５３、ＲＡＭ（Ｒａｎｄｏｍ  Ａｃｃｅｓｓ  Ｍｅｍｏｒｙ）５４、ＨＤＤ（Ｈａｒｄ  Ｄｉｓｋ  Ｄｒｉｖｅ）５５、外部Ｉ／Ｆ（Ｉｎｔｅｒｆａｃｅ）５６、プリンタ２、操作パネル４が接続される。また、ＣＰＵ５１とＲＯＭ５３とＲＡＭ５４とはシステム制御部５を構成する。
【００２７】
ＲＯＭ５３には、ＣＰＵ５１を動作させるためのプログラムや閾値を予め記憶する。
【００２８】
ＲＡＭ５４には、プログラムによるデータ処理の作業領域となるワークエリアなどの様々なメモリエリアを動的に形成する。また、スキャナ１で読取った画像情報を一時的に保存する一時保存エリア（第１の記憶部）を有する。この画像情報は各トナーの色毎にビットマップイメージを有し、印刷に使用する。図３と図４に示すように、ビットマップイメージはトナー毎に、画像情報を複数の領域に分割し、各領域に対して当該トナーを使用するかの情報を有する。本実施例では、イエロー（Ｙ）、シアン（Ｃ）、マゼンタ（Ｍ）、ブラック（Ｋ）、消去（Ｄ）の５種類（５色）のトナーを有するので、この５種類のトナーのビットマップイメージを有する。「１」が当該領域に対して対象となるトナーを使用することを意味し、「０」が当該領域に対してトナーを使用しないことを意味する。このトナー毎のビットマップイメージをもとに一次転写が行われる。加えてマスクモード時において、タッチパネル４ｂで入力された領域の座標情報を記憶する座標情報記憶エリアと、実際にマスク処理を行う領域の座標情報を記憶する修正座標記憶エリア（第２の記憶部）とを有する。さらに、マスクモードフラグ管理エリアを有する。マスクモードが選択さされた場合、マスクモードフラグ管理エリアのフラグを０から１に変更する。
【００２９】
ＨＤＤ５５は、ＭＦＰ１００を動作させるＯＳ（Ｏｐｅｒａｔｉｎｇ  Ｓｙｓｔｅｍ）がインストールされる。また、プリンタドライバや必要に応じてＯＣＲ（Ｏｐｔｉｃａｌ  Ｃｈａｒａｃｔｅｒ  Ｒｅａｄｅｒ）ソフトなどが記憶されている。
【００３０】
外部インターフェース（Ｉ／Ｆ）５６は、外部装置と通信するためのインターフェースである。たとえば、外部Ｉ／Ｆ５６は、外部装置からのプリント要求に応じたプリントデータを受信する。外部Ｉ／Ｆ５６は、外部装置とデータ通知を行うインターフェースであれば良く、たとえば、外部装置にローカルに接続する物（ＵＳＢメモリ等）であっても良いし、ネットワークを介して通信するためのネットワークインターフェースであっても良い。
【００３１】
スキャナ１とプリンタ２と操作パネル４とは前述したので省略する。
【００３２】
続いて、消去装置２００に関しての説明を行う。図５は、消去装置の断面図である。消去装置２００は、画像形成装置で画像形成された用紙の画像を消去し、用紙の再利用を可能とする。消去装置２００は、給紙部２２０、第１の搬送路２９０、第２の搬送路２９５、第１の読取部２３２ａ、第２の読取部２３２ｂ、消去部２５０、搬送ローラ２８６、第１の経路変更部２１０、第２の経路変更部２１５、第１の排紙部２６０と第２の排紙部２７０とを有する。
【００３３】
給紙部２２０は、消去装置２００の内部へ用紙を給紙する。再利用する用紙は、例えば、消去可能な記録材料で画像形成された用紙である。尚、用紙はＡ３、Ａ４、Ｂ５等、様々なサイズであってよい。給紙部２２０は、給紙トレイ及びピックアップローラ２２１を有する。給紙トレイは、消去を行う用紙を積載する。ピックアップローラ２２１は、給紙トレイ から用紙を１枚ずつ取り出し、第１の搬送路２９０へ送り出す。
【００３４】
第１の搬送路２９０、第２の搬送路２９５は複数の搬送ローラ２８６を有する。搬送ローラ２８６は駆動ローラと従動ローラの対で構成される。
【００３５】
第１の搬送路２９０には第１の読取部２３２ａと第２の読取部２３２ｂが設けられる。第１の読取部２３２ａ及び第２の読取部２３２ｂは二次元ＣＣＤスキャナを有する。この２つの読取部は、第１の搬送路２９０を挟んで設けられる。このような構成により、第１の読取部２３２ａは搬送される用紙の片面を読み取り、第２の読取部２３２ｂは第１の読取部２３２ａの読み取る面の反対側の面を読み取る。第１の読取部２３２ａ及び第２の読取部２３２ｂで読み取った画像は、ＨＤＤ２１２に記憶する。
【００３６】
第１の読取部２３２ａ及び第２の読取部２３２ｂは、二次元ＣＣＤスキャナに限定されず、ＣＭＯＳセンサであっても良い。
【００３７】
用紙は最終的に第１の排紙部２６０または第２の排紙部２７０へ排紙される。操作者は第１の排紙部２６０または第２の排紙部２７０のいずれかに用紙を排紙できるよう選択可能としても良い。本実施の形態では第１の排紙部２６０に再利用可能な用紙が搬送され、第２の排紙部２７０には汚れなどの理由から再利用不可能な用紙が搬送される。
【００３８】
第１の搬送路２９０は、給紙部２２０から、第１の排紙部２６０または第２の排紙部２７０へ接続される。第２の搬送路２９５は、第１の搬送路２９０の第１の読取部２３２ａ及び第２の読取部２３２ｂの下流側の分岐点から分岐し、第１の搬送路２９０の第１の読取部２３２ａ及び第２の読取部２３２ｂの上流側の合流点で合流する。分岐点には第１の経路変更部２１０が配置される。また、第１の搬送路２９０は、第１の経路変更部２１０を介して搬送された用紙を、第１の排紙部２６０又は第２の排紙部２７０へ排紙するための分岐点である第２の経路変更部２１５を有する。
【００３９】
第２の搬送路２９５の搬送路中に消去部２５０が配置される。消去部２５０は、ローラ対、及び図６に示すようにヒータ２０５を有する。ヒータ２０５はローラ対を介して間接的に用紙に一定以上の温度や熱を加える。これにより、消去可能な画像形成材料を用いて形成された用紙の画像を加熱し、色材を無色化する。
【００４０】
図６は消去装置２００のブロック図である。システムバス２０１を介して、ＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、第１の読取部２３２ａと第２の読取部２３２ｂとのＣＣＤセンサ２０４、消去部２５０のヒータ２０５、外部からのデータの入出力をするインターフェース（Ｉ／Ｆ）２０６、第１の経路変更部２１０を制御する第１の経路変更駆動部２０７、第２の経路変更部２１５を制御する第２の経路変更駆動部２０８、搬送ローラ２８６を駆動する用紙搬送モータ２１３を制御する用紙搬送モータ制御駆動部２０９、操作表示部２１１、ＨＤＤ２１２が接続される。また、ＣＰＵ２０１とＲＯＭ２０２、ＲＡＭ２０３は制御部を形成する。また、第１の搬送路２９０と第２の搬送路２９５と搬送ローラ２８６と用紙搬送モータ２１３と用紙搬送モータ制御駆動部２０９とが搬送部に相当する。
【００４１】
ＲＯＭ２０２には、ＣＰＵ２０１を動作させるためのプログラムを記憶する。また、用紙の画像の印字率の閾値と用紙の画像の濃度の閾値とを記憶する。制御部はこの２つの閾値をもとに、消去が正常に施されたか否かを判定する。換言するなら、用紙が再利用可能であるか否かを判別する。
【００４２】
ＲＡＭ２０３には、プログラムによるデータ処理の作業領域となるワークエリアなどの様々なメモリエリアを動的に形成する。
【００４３】
ＣＣＤセンサ２０４は、一列のラインセンサとして配置されており、用紙の濃淡を検出する。ヒータ２０５はＩＨヒータを用いる。消去部２５０を用紙が通過する間にローラ対を介して、用紙に間接的にＩＨヒータからの熱を加えて色材を無色化する。なお、このヒータ２０５は、ハロゲンランプ等のヒータランプで構成しても良い。
【００４４】
操作表示部２１１はタッチパネルであり、消去装置２００に関しての情報の表示と入力を行う。
【００４５】
制御部は、第１の経路変更駆動部２０７を制御することにより、第１の経路変更部２１０を駆動して、第１の搬送路２９０から第２の搬送路２９５へ用紙を搬送するよう振り分ける。また、同じく制御部は第２の経路変更駆動部を制御することにより、第１の搬送路２９０から搬送された用紙を、第１の排紙部２６０又は第２の排紙部２７０へ搬送するよう振り分ける。
【００４６】
ＨＤＤ２１２には、少なくとも、ＣＣＤセンサ２０４で１回目に読取った画像を記憶する読取画像記憶エリアと、消去部２５０で消去処理された用紙の画像を記憶する再判定記憶エリアとを有する。
【００４７】
以上のような構成を備えるＭＦＰ１００と消去装置２００において、予め設定されているプログラムに基づいて、ＭＦＰ１００は図９に示す印刷ジョブを実行し、消去装置は図１１に示す消去ジョブを実行する。
【００４８】
まずは、ＭＦＰ１００の印刷ジョブに関して説明を行う。このとき、スキャナ１の原稿台ガラスには既に用紙が載置されている。ＭＦＰ１００はこの用紙を読取り、コピーする。印刷時にはマスクモードを選択するものとする。この際、用紙には図７（ａ）に示すような、例えば学校や塾などで使用されるテスト問題であるとする。なお、操作者は図８の破線で示されるように、タッチパネル４ｂを用いて、テスト問題の回答「○○○、◎◎◎、□□□」を広範囲に指定したものとする。そして、図７（ｂ）に示すように「○○○、◎◎◎、□□□」が消去可能なトナーでマスキングされるものとする。
【００４９】
システム制御部５は操作パネル４を通じて、今回のジョブの印刷情報、例えばコピーする枚数、濃度、用紙サイズの入力を受ける。入力された情報をＲＡＭ５４の所定の領域に記憶する（ＡＣＴ１０１）。
【００５０】
続いて、システム制御部５は操作パネル４を操作して、マスクモードキーのキー信号の入力を検知する。システム制御部５はマスクモードキーのキー信号の入力を検知すると、ＲＡＭ５４のマスクモードフラグ管理エリアの値を「０」から「１」変更する（ＡＣＴ１０２）。
【００５１】
続いてシステム制御部５は操作パネル４のスタートキーのキー信号を検知すると、システム制御部５はスキャナ１を動作させ、原稿台ガラスに載置された用紙をスキャンして、ＲＡＭ５４の一時保存エリアに記憶する（ＡＣＴ１０３）。
【００５２】
システム制御部５はＲＡＭ５４のマスクモードフラグ管理エリアの値が「１」となっていることを確認すると、システム制御部５は図１０に示す座標入力画面を操作パネル４に表示する。そして、操作パネル４のタッチパネル４ｂからシステム制御部５は座標情報の入力を受ける。そして、システム制御部５は、入力された座標情報をＲＡＭ５４の座標情報記憶エリアに記憶する。この座標情報の入力処理の終わりとして、システム制御部５は完了キーのキー信号の入力を検知する（ＡＣＴ１０４）。
【００５３】
システム制御部５はＲＡＭ５４の座標情報記憶エリアに記憶する座標情報の範囲内にマスキングを行う対象（文字又は図形など）が存在するかの検索行う。ＯＣＲソフトやマクロ認識又はミクロ認識などの各種処理を座標内に対して行うことにより、マスキングする対象を割り出し、座標をさらに絞り込む。この絞り込んだ座標をＲＡＭ５４の修正座標記憶エリアに記憶する。そしてこの修正座標記憶エリアに記憶する座標情報に基いて、ＲＡＭ５４の一時保存エリアに記憶されている画像情報に対して、マスク処理を行う。このマスク処理では、図４に示すようなＲＡＭ５４の一時保存エリアに記憶する消去トナーのビットマップイメージの対象となる座標を「１」にセットする（ＡＣＴ１０５）。
【００５４】
マスク処理を完了すると、システム制御部５はＲＡＭ５４の一時保存エリアに記憶している画像情報を、ＲＡＭ５４に記憶する印刷情報（印刷枚数）に従って印刷を行う。結果として、図７（ｂ）に示すような形でマスクされて印刷され（ＡＣＴ１０６）、処理を終了する。印刷において、画像形成部２５Ｄは転写ベルトの下側に設けられ、かつ画像形成部２５Ｄは他の画像形成部２５Ｃ、画像形成部２５Ｍ、画像形成部２５Ｙ、画像形成部２５Ｋよりも搬送部２２の搬送路に近い位置に設けられ、かつ画像形成部２５は搬送部２２の搬送路の左側に設けられていることから、用紙に対して消去可能なトナーは消去不可能なトナーよりも外側に層を形成する。
【００５５】
続いて、図１１に示す消去ジョブを記載する。条件として、消去する用紙は給紙部２２０の給紙トレイにセットされている。そしてこの用紙は前述のＭＦＰ１００の部分消去モードにて印刷さている。また、給紙部２２０の給紙トレイにセットされた用紙の内容は図７（ｂ）に示すように、一部領域が消去可能なトナーでマスクされているものとする。なお、以下の処理では用紙を読取り保存した後に、消去する処理を例に挙げて説明を行う。また、第1の経路変更部２１０はデフォルトでは、第１の搬送路２９０と第２の搬送路２９５を接続しているとする。
【００５６】
まず、ＡＣＴ２０１として制御部は給紙部２２０にセットされた用紙を給紙し、第１の搬送路２９０へ搬送する。
【００５７】
続いて、第１の搬送路２９０を挟んで設けられた第１の読取部２３２ａと第２の読取部２３２ｂが用紙の両面を読取り、ＨＤＤ２１２の読取画像記憶エリアに記憶する（ＡＣＴ２０２）。
【００５８】
そして制御部は搬送ローラ２８６を駆動させ用紙を搬送し、第１の経路変更部２１０を介して、第２の搬送路２９５へ用紙を搬送する（ＡＣＴ２０３）。
【００５９】
第２の搬送路２９５には消去部２５０が設けられている。用紙が第２の搬送路２９５を搬送される過程で、この消去部２５０を通過する。この消去部２５０に設けられているヒータ２０５によって用紙が熱せられ、マスクされた領域が消去される。この時「○○○、◎◎◎、□□□」は消去不可能なトナーで印字されているので消去されない。（ＡＣＴ２０４）。
【００６０】
消去部２５０によって消去処理された用紙は、再度第１の搬送路２９０へ再度搬送される（ＡＣＴ２０５）。
【００６１】
用紙を第１の搬送路２９０に搬送した後、制御部は第１の読取部２３２ａと第２の読取部２３２ｂを使用して、用紙の読取処理を再び行う。読み取った画像はＨＤＤ２１２の再判定記憶エリアに記憶する（ＡＣＴ２０６）。
【００６２】
制御部はＨＤＤ２１２の再判定記憶エリアに記憶する画像に対して、ＲＯＭ２０２に記憶する用紙の印字率の閾値と濃度の閾値とを参照し、用紙が再利用可能かの判断を行う（ＡＣＴ２０７）。
【００６３】
図７（ｂ）のような用紙を消去する場合、消去できないトナーで印字されている領域が多いため、再利用不可と制御部は判断を行う（ＡＣＴ２０７のＮｏ）。
【００６４】
そして、制御部は第１の経路変更部２１０と第２の経路変更部２１５とを駆動させ、第２の排紙部２７０へ用紙を排紙する（ＡＣＴ２０９）。
【００６５】
他方、制御部が再利用可能と判断する（用紙の全てが消去可能なトナーで印字されており、用紙の状態がよい）場合（ＡＣＴ２０７のＹｅｓ）、制御部は第１の経路変更部２１０を制御し、第１の排紙部２６０へ用紙を排紙する。
【００６６】
以上の構成により、操作者は任意の領域に消去可能なトナーでマスキングを行うことが可能である。また、用紙に対して最も外側に消去可能なトナーが定着されているので、消去可能なトナーを消去する際、消去不可能なトナーの色に影響を与えることは少ない。また例えば、学校などで行われる小テストなどに予め回答を記載しておき、回答が記載された領域にマスキングを施す。テスト完了後に消去装置にてマスキングを消去することにより、生徒各自で採点を行わせるなどの使い方が可能となる。また、消去装置でマスキングされた範囲を消去する際、消去後の用紙は全て同じ排紙部（実施例では第２の排紙部２７０）に排紙されるので、操作者は用紙を探す必要がない。
【００６７】
また、本実施例では選択された範囲全てではなく、必要とされる範囲を消去可能なトナーでマスキングしているため、トナー量の節約も行える。
【００６８】
（第２の実施の形態）
続いて第２の実施の形態に関して説明を行う。第１の実施の形態と同一の符号は説明を省略する。なお、ＭＦＰ１００の外部Ｉ／Ｆ５６はネットワークを介して通信するためのネットワークインターフェースであるとする。第２の実施の形態では、図１２に示すようにＰＣ（Ｐｅｒｓｏｎａｌ  Ｃｏｍｐｕｔｅｒ）３００とＭＦＰ１００とがＬＡＮ（Ｌｏｃａｌ  Ａｒｅａ  Ｎｅｔｗｏｒｋ）３０５を介してネットワークによって接続されている。また、ＭＦＰ１００のＲＡＭ５４には座標情報記憶エリアと修正座標記憶エリアと座標情報記憶エリアとは存在しないものとする。
【００６９】
図１３にはＰＣ３００のブロック図を示す。システムバス３５２を介して、ＣＰＵ３５１、ＲＯＭ３５３、ＲＡＭ３５４、表示器３５５、操作器３５６、外部Ｉ／Ｆ３５７、ＨＤＤ３５８が接続される。また、ＣＰＵ３５１とＲＯＭ３５３とＲＡＭ３５４とは制御部を構成する。
【００７０】
ＲＯＭ３５３には、ＣＰＵ３５１を動作させるためのプログラムや閾値を予め記憶する。
【００７１】
ＲＡＭ３５４には、プログラムによるデータ処理の作業領域となるワークエリアなどの様々なメモリエリアを動的に形成する。また、ＲＭＡ３５４にはマスキングを行う座標情報を記憶する座標情報記憶エリアを有する（第２の記憶部）。この座上情報記憶エリアに記憶される座標情報内の文字や図形などに対してマスキングが行われる。
【００７２】
表示器３５５はディスプレーである。操作者へ情報を表示する機器である。
【００７３】
操作器３５６はキーボードやマウスなど、ＰＣ３００へ必要な情報をインプットするためのデバイスである。なお、表示器３５５に表示された印刷プレビューに対して、操作器３５６（マウス）を操作して範囲を指定し、前述の座標情報記憶エリアに座標情報を入力する。この範囲の指定は一つであってもよいし、複数であってもよい。
【００７４】
外部Ｉ／Ｆ３５７は、外部装置と通信するためのインターフェースである。例えば、ネットワークを介して通信するためのネットワークインターフェースである。外部Ｉ／Ｆ５６は、ＭＦＰ１００とデータを送受信する。
【００７５】
ＨＤＤ３５８は、大容量の記憶装置である。また、ＨＤＤ３５８にはＰＣ３００を動作させるＯＳ（Ｏｐｅｒａｔｉｎｇ  Ｓｙｓｔｅｍ）がインストールされる。また文章ファイルを作成するためのソフトウェアも既にインストールされているものとする。また、文章ファイルなどを印刷するためのソフトウェア（換言するならプリンタドライバ）などもこのＨＤＤ３５８にインストールされている。この印刷するファイルを保存する領域が第１の記憶部に相当する。
【００７６】
なお、ＨＤＤ３５８に記憶される文書ファイルなどを印刷する場合、ポストスクリプトデータ等のページ記述言語で記述された印刷命令を用いる。プリンタドライバは、当該ファイルの内容をもとに、ページ記述言語で記述された印刷命令を作成する。このページ記述言語とは、コンピュータ上で作成された文書や画像などをＭＦＰ１００で印刷する際に、ＭＦＰ１００に対して指示するプログラム言語である。このページ記述言語には、文字や図形の位置情報、書式情報（フォントサイズ、フォントの色、アンダーライン、太字）などが記載されている。ＭＦＰ１００では文書ファイルなどを印刷する際、受信した印刷命令のページ記述言語の記述に基づいて、ビットマップイメージを作成する。第２の実施の形態では、このページ記述言語を書き換えてマスキングを行う。
【００７７】
また、このプリンタドライバはマスクモードが選択可能である。マスクモードを選択する場合は、一例としてプリンタドライバのＧＵＩ（Ｇｒａｐｈｉｃａｌ  Ｕｓｅｒ  Ｉｎｔｅｒｆａｃｅ）画面からラジオボタンにチェックをすることにより、選択可能であるとする。このマスクモードが選択されると、印刷する文書ファイルをプレビューで表示器３５５に表示し、マウスなどの操作器３５６を操作することによって、マスキングを行う領域の座標情報を入力する。また、このプリンタドライバはＧＵＩの印刷用画面が表示可能であり、この印刷用画面に表示される印刷キーを押下することにより、印刷命令をＭＦＰ１００へ送信する。
【００７８】
以上のような構成を備えるＰＣ３００において、制御部は、予め設定されているプログラムに基づいて、図１４に示す印刷要求ジョブを実行する。このとき、図１２に示すようにＭＦＰ１００とＰＣ３００は接続されているものとする。図７（ａ）に示すような文書ファイルを文書ソフトで作成し、マスキングをして印刷を行うものとする。なお、既にデフォルトの設定で、マスクモードが選択されているものとする。そして、操作者はＧＵＩで表示された印刷キーを押下ものとする。
【００７９】
まず制御部は図９に示すような印刷する文章の印刷プレビューを表示する（ＡＣＴ３０１）。
【００８０】
続いて制御部は操作器３５６が操作され、選択された座標情報をＲＡＭ３５４の座標情報記憶エリアに記憶する。制御部はＧＵＩの印刷キーの入力信号を検知するまで座標情報の入力処理を受ける（ＡＣＴ３０２）。
【００８１】
そして、制御部は印刷キーのキー信号の入力を受けると、文章ファイルをもとにしてページ記述言語で印刷命令を作成する。加えて、ＲＡＭ３５４の座標情報記憶エリアに記憶する座標情報内に該当する箇所を消去可能なトナーで印字するよう印刷命令を書き換える。一例として、ＯＣＲソフトなどを用いて、座標情報内の文字を識別する。そして、識別された文字をページ記述言語で記載された印刷命令から検索し、対象となる文字を消去可能なトナーで印字するよう印刷命令を書き換える（ＡＣＴ３０３）。
【００８２】
そして制御部は外部Ｉ／Ｆ３５７を経由して、作成した印刷命令をＭＦＰ１００へと送信する（ＡＣＴ３０４）。なお、ＭＦＰ１００はこの印刷命令を受信すると、この印刷命令からイメージデータを作成し、印刷処理を行う。
【００８３】
以上によって、ＰＣから文章を印刷する場合、消去可能なトナーにてマスキングを行って印刷を行うことが可能となる。これによって第１の実施の形態と同様の効果を得ることが可能である。
【００８４】
本発明の実施の形態では、用紙に対して消去可能なトナーは消去不可能なトナーよりも外側に層を形成するようにするため、ＭＦＰ１００の画像形成部２５Ｄは搬送部２２の搬送路に対して最も近い位置に配置されたが、これに限られるものではない。例えば、一旦消去不可能なトナーを用紙に対して転写と定着を行った後に、消去可能なトナーの用紙への転写と定着を行う方法も考えられる。この場合、第１の実施の形態では、システム制御部５は、マスクモード時において、ＲＡＭ５４の座標情報記憶エリアにマスキングを行う座標を記憶している場合、システム制御部５は、一旦消去不可能なトナーの転写と定着を行った後、ＡＤＵ３１にて用紙を転写部２８の上流側へ搬送し、消去不可能なトナーが印刷された面に対して、消去可能なトナーの転写と定着を行えばよい。第２の実施の形態では、ＰＣ３００がＭＦＰ１００へと送信するページ記述言語に、マスキングを行うフラグ情報などを付加すればよい。ＡＤＵ３１にて用紙を転写部２８上流へと再度搬送する方法は、第１の実施の形態と同様である。
【００８５】
本発明の実施の形態では、対象となる文字に対してマスキングを行ったが、座標情報記憶エリアに記憶する座標全てに対してマスキングを行ってもよい。
【００８６】
マスキングする対象とは、マスキングを行う文字や図形などの画像情報であってもよいし、指定された範囲全てに対してマスキングを行う座標の情報であってもよい。また。第２の実施の形態のように、文字や図形をマスキングするための座標情報も含まれる。
【００８７】
第１の記憶部と第２の記憶部とは一体であっても別体であってもよい。
【００８８】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００８９】
１  スキャナ
２  プリンタ
４  操作パネル
１００  ＭＦＰ
２００  消去装置
３００  ＰＣ
【図１】
2015197672.tif 000003
【図２】
2015197672.tif 000004
【図３】
2015197672.tif 000005
【図４】
2015197672.tif 000006
【図５】
2015197672.tif 000007
【図６】
2015197672.tif 000008
【図７】
2015197672.tif 000009
【図８】
2015197672.tif 000010
【図９】
2015197672.tif 000011
【図１０】
2015197672.tif 000012
【図１１】
2015197672.tif 000013
【図１２】
2015197672.tif 000014
【図１３】
2015197672.tif 000015
【図１４】
2015197672.tif 000016